(57)【要約】      （修正有）【課題】インプラント体と顎骨との結合期間を必要とせず、顎骨の骨量や厚さが少ない患者にも施術でき、多くの患者の治療期間及び治療回数を短縮することができると共に、顎骨への影響を最小限に止めることで、患者の精神的及び身体的負担を軽減することができる歯科インプラントシステムを提供する。【解決手段】軸部を有する少なくとも２つのインプラント体２が対を成し、各インプラント体の軸部に、顎骨６に穿設された掛穴６１に引掛けられる掛部が設けられ、この掛部は、軸部に対して屈折されており、各インプラント体が顎骨に引掛けられる際に、掛部の先端部が、互いに内側に向かって相対向するように配置される構成であり、かつ、インプラント体同士を固定するための固定手段４が設けられている構成である。【選択図】図１
2015097781.tif 000002
【特許請求の範囲】
【請求項１】
軸部を有する少なくとも２つのインプラント体が対を成し、
各インプラント体の軸部に、顎骨に穿設された掛穴に引掛けられる掛部が設けられ、
この掛部は、前記軸部に対して屈折されており、
各インプラント体が顎骨に引掛けられる際に、前記掛部の先端部が、互いに内側に向かって相対向するように配置される構成であり、
かつ、インプラント体同士を固定するための固定手段が設けられている構成であることを特徴とする歯科インプラントシステム。
【請求項２】
掛部が、くの字形状であることを特徴とする請求項１に記載の歯科インプラントシステム。
【請求項３】
掛部が、先端部と他の部分との間に段部が設けられ、先端部が他の部分よりも小径であることを特徴とする請求項１又は２に記載の歯科インプラントシステム。
【請求項４】
インプラント体同士を固定するための固定手段が、インプラント体の軸部に設けられており、
この固定手段が、それぞれのインプラント体の軸部に各々連通される孔部と、この連通された孔部に挿通させる固定部材とを有しており、
この固定手段によって、それぞれのインプラント体の軸部同士が固定される構成であることを特徴とする請求項１〜３のいずれかに記載の歯科インプラントシステム。
【請求項５】
義歯が装着される台座となるアバットメント体を有し、
前記アバットメント体の側面には、それぞれのインプラント体の軸部に各々連通される孔部と共に、固定部材が挿通される側面孔部が設けられ、
複数のインプラント体の軸部が固定される構成であることを特徴とする請求項４に記載の歯科インプラントシステム。
【発明の詳細な説明】
【技術分野】
【０００１】
本発明は、歯科インプラントに関し、詳しくは、１本の歯に対して、複数のインプラント体が用いられる歯科インプラントシステムに関する。
【背景技術】
【０００２】
従来から、天然歯を喪失した場合に、その喪失した箇所の顎骨に人工的な歯根（インプラント体）を埋め込んで、この人工歯根を土台として、この上に義歯を取り付ける歯科インプラント治療が知られている。
【０００３】
現在実施されている歯科インプラント治療は、外科的に顎骨（歯槽骨）上の歯肉を切除した後、予め検査して得られたサイズのインプラント体を顎骨に埋入し、その後３ヶ月〜６ヶ月の期間を待って、インプラント体と顎骨が結合（オッセオインテグレーション）するのを待つ必要がある。そして、顎骨と結合したインプラント体に、アバットメント体と呼ばれる台座と取り付け、このアバットメント体に、予め所定のサイズに成形された義歯を取り付けるといった手順で施術されている。
歯科インプラント治療は、これらの手順に従って施術されるため、治療期間として６ヶ月〜１年間を要するのが一般的である。
【０００４】
また、患者によっては、特に上顎骨への施術について、インプラント体を埋入するために必要な骨量（特に骨の厚さ）が不足している場合がある。かかる場合には、先ず、顎骨に対して、骨再生誘導法（ＧＢＲ法）、リッジエクスパンジョン、ソケットリフト、サイナスリフト等の補助手術を施し、必要な骨量を形成した上で、上記歯科インプラント治療を行うことになり、更に数ヶ月の治療期間を要する。
【０００５】
上記のような補助手術を要しない歯科インプラント治療について、特許文献１に記載の技術が提案されている。
特許文献１に記載の技術は、「歯根として上顎臼歯部の歯槽骨に埋入されて固定され、かつ脚構造を成す３本の脚部インプラント体と、該脚部インプラント体が移動自在に挿入されるために、前記脚部インプラント体の外径より大きい内径の維持孔が設けられ、該維持孔に挿入された前記各脚部インプラント体をまとめる機能を有する歯根台座部と、該歯根台座部と連結され、歯冠を装填するための支台であるアバットメントとを含む複合構造を有する歯科コンポーネントインプラント」である。
【０００６】
これを要約すると、歯根として歯槽骨に埋入されるインプラント体が３本であり、この３本のインプラント体を歯根台座部でまとめ、これらにアバットメントを加えた複合構造を有する歯科コンポーネントインプラントである。
【０００７】
この技術によれば、「上顎骨や下顎骨の形状、また下顎骨の下部に走っている下歯槽神経の位置に関係なく埋入可能であり、かつ複数の脚部インプラント体により歯根台座部を支持することにより噛み合う際の荷重が各脚部インプラント体に分散して偏った応力の集中を避ける共に当該荷重がアバットメントの長軸方向に加わることでインプラント全体の寿命が長くなる。これにより、骨増量などの骨再生誘導法による付加的手術も不要となり、骨不足、埋入不適症例へのインプラント埋入術の応用が可能となる。」といった効果が得られる。
【０００８】
しかし、特許文献１に記載の技術では、骨不足や埋入不適症例への骨再生誘導法等による補助手術は不要になるが、インプラント体と顎骨との結合に要する期間は必要であり、
やはり治療期間として６ヶ月〜１年間を要するといった問題があった。
【０００９】
一方で、インプラント体と顎骨との結合に要する期間を要しない歯科インプラント治療について、特許文献２に記載の技術が提案されている。
特許文献２に記載の技術は、「歯槽骨のうち口腔側に臨む上部歯槽骨に打ち込まれる抜け止め軸と、該抜け止め軸を下端に一体に突設しており、かつ上部には義歯が装着されるアバットメントとを備えた義歯固定装置」であり、「抜け止め軸が複数本からなり、これらの先端および外周の長手方向の複数箇所に抜け止め用の返り突起を有する抜け止め軸」も提案されている。
【００１０】
これらの技術によれば、「従来のようにインプラント材と歯槽骨がくっつく数ヶ月の期間を待つことなく、直ぐにアバットメントを上部歯槽骨に取り付けることができる。」と共に、「抜け止め軸を、これの先端および外周の長手方向の複数箇所に抜け止め用の返り突起を有するものとしたので、上記抜け止め軸の歯槽骨への打ち込みを容易化でき、さらに抜け止め軸によるアバットメントの歯槽骨における結着力を十分に高めることができる」といった効果が得られる。
【００１１】
しかし、特許文献２に記載の技術では、アバットメントに設けられた抜け止め軸を、歯槽骨に余程深く打ち込まなければ固定されず、この抜け止め軸に返り突起を設けたとしても、抜け難さは多少増すものの、ハンマーなどを用いて歯槽骨に強く打ち込まなければならず、固定が不十分な上に骨への負担が大きいといった問題があった。
【００１２】
また、骨への負担の軽減を課題とした技術も提案されている。
特許文献３に記載の技術は、「骨内にインプラントのボディ部を植立し、骨上にインプラントのヘッド部を突出させる歯科用インプラントで、このインプラントを２つのインプラントのそれぞれのヘッド部の１つの面を合掌させ、その時にインプラントのボディ部が骨内で八の字の形になるようにしたもの」である。
【００１３】
この技術によれば、「熟練を要することなくインプラントを植立する箇所の骨を必要量だけ除去し、インプラントを必要以上に沈下させることなくインプラント体を容易に埋植することで初期固定を確実にし、その後の咬合圧によるインプラントへの垂直方向へかかる力を緩和することでインプラントの動揺、沈下を防ぎ長期に口腔内で機能する確立の高いインプラントを提供できる」といった効果が得られる。
【００１４】
しかし、特許文献３に記載の技術では、インプラントのボディ部を植立させるための溝を掘削するために、専用の円形切削器具を用いなければならない。また、顎骨に溝を掘削するという作業は、歯科医師にとって経験のない作業であることから、極めて困難であるという問題があった。更に、この技術でもインプラント体と顎骨との結合に要する期間は必要であり、やはり治療期間として長期間を要するといった問題があった。
【先行技術文献】
【特許文献】
【００１５】
【特許文献１】特許第４２２６６０９号公報
【特許文献２】特開平８−１９６５４７公報
【特許文献３】特開２０１０−０６３８５４
【発明の概要】
【発明が解決しようとする課題】
【００１６】
そこで、本発明の課題は、上記背景技術のようなインプラント体と顎骨との結合期間を必要とせず、顎骨の骨量や厚さが少ない患者にも施術でき、多くの患者の治療期間及び治
療回数を短縮することができると共に、顎骨への影響を最小限に止めることで、患者の精神的及び身体的負担を軽減することができる歯科インプラントシステムを提供することにある。
【課題を解決するための手段】
【００１７】
上記本発明の課題は、下記の手段により達成される。
１．軸部を有する少なくとも２つのインプラント体が対を成し、
各インプラント体の軸部に、顎骨に穿設された掛穴に引掛けられる掛部が設けられ、
この掛部は、前記軸部に対して屈折されており、
各インプラント体が顎骨に引掛けられる際に、前記掛部の先端部が、互いに内側に向かって相対向するように配置される構成であり、
かつ、インプラント体同士を固定するための固定手段が設けられている構成であることを特徴とする歯科インプラントシステム。
【００１８】
２．掛部が、くの字形状であることを特徴とする前記１に記載の歯科インプラントシステム。
【００１９】
３．掛部が、先端部と他の部分との間に段部が設けられ、先端部が他の部分よりも小径であることを特徴とする前記１又は２に記載の歯科インプラントシステム。
【００２０】
４．インプラント体同士を固定するための固定手段が、インプラント体の軸部に設けられており、
この固定手段が、それぞれのインプラント体の軸部に各々連通される孔部と、この連通された孔部に挿通させる固定部材とを有しており、
この固定手段によって、それぞれのインプラント体の軸部同士が固定される構成であることを特徴とする前記１〜３のいずれかに記載の歯科インプラントシステム。
【００２１】
５．義歯が装着される台座となるアバットメント体を有し、
前記アバットメント体の側面には、それぞれのインプラント体の軸部に各々連通される孔部と共に、固定部材が挿通される側面孔部が設けられ、
複数のインプラント体の軸部が固定される構成であることを特徴とする前記４に記載の歯科インプラントシステム。
【発明の効果】
【００２２】
前記１に示す発明によれば、インプラント体に設けられた掛部を、顎骨に穿設された掛穴に引掛けることによって、インプラント体を顎骨に取り付けることができる。この取り付け手段によって、１本の歯に対して複数のインプラント体を顎骨に取り付け、これらのインプラント体を一体に結合すれば、複数のインプラント体が顎骨に固定される。
【００２３】
インプラント体に設けられた掛部は、例えば、軸部の端部を屈折させたように、軸部に対して屈折して設けられ、この掛部を、同じく軸部の方向に対して屈折した方向に穿設された掛穴に引掛けるので、軸部方向には抜けることがない。更に、各インプラント体は、顎骨に引掛けられる際に、掛部の屈折方向が互いに内側に向かって相対向するように配置される構成である。各インプラント体を一体に結合すれば、掛部の屈折方向にも抜けることがないばかりでなく、顎骨を挟み込むように締結でき、極めて強固に固定できる。
【００２４】
従来のインプラント治療とは異なり、インプラント体を顎骨にねじ込む等して深く埋入させるのではなく、顎骨に浅く穿設された掛穴に、掛部を引掛ける構成であるため、顎骨の骨量や厚さが少ない場合であっても、補助手術等をすることなく施術することができる。また、インプラント体を深く埋入させることによる顎骨への損傷等の影響を最小限に止
めることができる。
【００２５】
かかる構成の歯科インプラントシステムであれば、インプラント体を顎骨に引掛け、各インプラント体を一体に結合するだけで、一体に結合されたインプラント体が顎骨に固定されるので、従来のインプラント治療のように、インプラント体と顎骨とが結合する期間が不要であり、治療期間及び治療回数を短縮することができる。また、顎骨の骨量や厚さが少ない患者にも施術でき、補助手術による治療期間の延長を避けることもできる。
【００２６】
更に、掛部は、注射針程度の細さで形成することができ、同程度の細さの歯科用ドリルで顎骨に掛穴を設け、この掛穴にインプラント体の掛部を取り付けることができるので、顎骨を覆う歯肉を剥離しなくても施術することができ、歯肉の出血を最小限に抑えることができる。これにより、治療時間が短縮でき、顎骨と歯肉に対する損傷を最小限に止めた上で強固に固定することができる。
即ち、本発明に係る歯科インプラントシステムは、インプラント体が顎骨に融合される従来のインプラント治療とは根本的に異なるため、顎骨の骨量等を問わず、多くの患者の治療期間及び治療回数を短縮することができると共に、顎骨への影響を最小限に止めることで、患者の精神的及び身体的負担を軽減した上で、２つのインプラント体で挟持する態様によって強固に固定することができる歯科インプラントシステムを提供することができる。
【００２７】
前記２に示す発明によれば、インプラント体の掛部が「く」の字形状に形成されていることで、２つ以上の軸部を接近させて配置・固定させることができる。
本発明に係る歯科インプラントシステムは、掛部の先端部が、互いに内側に向かって相対向するように配置される構成であるため、この掛部の各先端部が当接しないように配置するためには、それぞれの軸部が相当の距離を隔てて配置されることになる。しかし、インプラント体の掛部を「く」の字形状にすることで、「く」の字の上部が、他のインプラント体に対して外側に向かった方向に屈折されるので、「く」の字の下部に位置する先端部を、軸部の軸方向の延長線上付近に位置させることができる。これにより、各インプラント体は、軸部を接近させて配置することができ、これらの軸部を固定することも容易になる。
【００２８】
また、顎骨に進入される部分（「く」の字の下部の一部）と軸部との間に、「く」の字の上部が介在するので、軸部の直下に当たる部分に空隙が設けられ、この箇所の歯肉がインプラント体で圧迫されることを防止・抑制でき、この箇所の歯肉の血行を維持することができる。これにより、歯肉を含む口腔全体に対する影響を、最小限に止めることができる。
【００２９】
前記３に示す発明によれば、掛部の先端部と他の部分との間に段部が設けられ、先端部が他の部分よりも小径に形成されていることで、掛部の掛穴への進入深度を一定にすることができる。詳述すると、先ず、顎骨に設けられる掛穴について、掛部の先端部と略同径のガイドドリルで顎骨を穿設し、この穴の一部を、先端部以外の部分と略同径のインプラントドリルで径を拡開して、２段階の径の掛穴を形成する。その後、２段階の径に穿設された掛穴に、掛部を挿入すると、掛穴の段差部分と掛部の段部の当接によって、掛部の掛穴への進入が止まるので、掛部の掛穴への進入深度を一定にすることができる。掛部の進入深度は、インプラントドリルによる径の拡開を行う深さによって調整することができる。
【００３０】
また、掛部の進入深度を一定に保てることから、前記２における掛部の「く」の字形状と相俟って、軸部の直下に当たる部分に空隙が設けられ、この箇所の歯肉がインプラント体で圧迫されずに済むので、この箇所の歯肉の血行を維持することができる。これにより
、歯肉を含む口腔全体に対する影響を、最小限に止めることができる。
【００３１】
前記４に示す発明によれば、２つのインプラント体を固定するための固定手段として、それぞれの軸部に、各々連通される孔部が設けられ、この２つのインプラント体の軸部が配置された後に、この連通された孔部に固定部材を挿通させることによって２つの軸部が固定される構成が採用されている。これにより、各軸部には孔部を設けるだけでよく、加工が容易であり、２つのインプラント体の軸部を固定する際も、連通される孔部に固定部材を挿通させるだけでよく、施術が簡単でありながら確実に固定することができる。
【００３２】
前記５に示す発明によれば、インプラント体の軸部に設けられた孔部と、アバットメント体の側面に設けられた側面孔部とが、固定部材によって連通されるので、複数のインプラント体とアバットメント体とを一体的に固定することができる。
【図面の簡単な説明】
【００３３】
【図１】本発明に係る歯科インプラントシステムの一実施例を表す概略斜視図
【図２】本発明に係る歯科インプラントシステムの一実施例を表す分解構成図
【図３】インプラント体の掛部と歯肉と顎骨の位置付けを表す概略説明図
【図４】インプラント体の掛部に段部を設けたことによる効果を表す概略説明図
【図５】側面溝部と係止穴部が設けられたアバットメント体を表す概略斜視図
【図６】インプラント体を４本使用した実施例を表す概略斜視図
【図７】本発明の他の実施例を表す一部断面分解正面図
【図８】図７におけるアバットメント体の平面図
【図９】図７におけるインプラント体の掛部を省略した平面図
【図１０】本発明の他の実施例を表す一部断面正面図
【図１１】図１０に表す歯科インプラントシステムのうちインプラント体の掛部を省略した平面図
【図１２】本発明を総入れ歯に応用した例を表す概略説明図
【図１３】本発明を歯科ブリッジに応用した例を表す概略説明図
【００３４】
【図１４】参考発明に係る歯科インプラントシステムの一実施例を表す分解説明図
【図１５】参考発明に係るインプラント体の一例を表す斜視図
【図１６】参考発明に係るインプラント体の他の例を表す斜視図
【図１７】参考発明に係る２対のインプラント体を使用した例において、インプラント体を掛部側から観察した態様を表す概略図
【図１８】参考発明に係る軸固定部が設けられたインプラント体の一例を表す斜視図
【図１９】参考発明に係る凸部が設けられたインプラント体の一例を表す斜視図
【図２０】参考発明に係る凸部が設けられたインプラント体の他の例を表す斜視図
【図２１】参考発明に係る枢支部が設けられたインプラント体の一例を表す斜視図
【図２２】参考発明に係るアバットメント体の一例を表す斜視図
【図２３】参考発明に係る２つのインプラント体を結合させるアバットメント体の例を表す斜視図
【図２４】参考発明に係る３つのインプラント体を結合させるアバットメント体の例を表す斜視図
【図２５】参考発明に係る４つのインプラント体を結合させるアバットメント体の例を表す斜視図
【図２６】参考発明に係る掛部と爪部の位置関係を表す概略図
【図２７】参考発明に係る透孔が設けられたアバットメント体の一例を表す斜視図
【図２８】参考発明に係る歯科インプラントシステムの取り付け手順の一例を説明する概略図
【図２９】参考発明に係る歯科インプラントシステムが顎骨に取り付けられた状態の一例を表す概略図
【図３０】参考発明に係る歯科インプラントシステムが顎骨に取り付けられた状態の他の例を表す概略図
【発明を実施するための形態】
【００３５】
本発明に係る歯科インプラントシステム１は、現在実施されている歯科インプラント治療とは異なり、インプラント体を顎骨に埋入した後のインプラント体と顎骨との結合（オッセオインテグレーション）が不要であり、治療期間及び治療回数を短縮することができる歯科インプラントシステムである。
【００３６】
以下、添付の図面に従って本発明を詳細に説明する。
図１に、本発明に係る歯科インプラントシステム（以下、単に「歯科インプラントシステム」ともいう。）１の一実施例を表す概略斜視図を示し、図２には、歯科インプラントシステム１の一実施例を表す分解構成図を示す。
【００３７】
歯科インプラントシステム１は、図１に示されるように、少なくとも２つのインプラント体２から構成され、アバットメント体３と固定部材４を加えた構成とすることができる。インプラント体２には、直接又はアバットメント体３を介して義歯５が取り付けられる。
【００３８】
本発明におけるインプラント体２は、顎骨６の特に歯槽骨に設けられた掛穴６１に、引掛けて固定するためのものである。
インプラント体２は、図１に表わされるように、少なくとも軸部２１及び掛部２２から構成される。
【００３９】
軸部２１は、顎骨６から天然歯が生える方向と同方向に立設され、顎骨６と義歯５とを直接又は後述するアバットメント体３を介して接続し、固定する箇所である。
軸部２１の形状に限定はないが、例えば、図１に示されるように、円柱状に形成することができる。
【００４０】
軸部２１のサイズに限定はないが、例えば、図１に示されるような円柱状に形成される場合には、長さが５ｍｍ〜１５ｍｍ、直径が０．５ｍｍ〜３ｍｍに形成されることが好ましく、直径については、０．７ｍｍ〜１．５ｍｍに形成されるがより好ましい。
尚、軸部２１の長さや径といったサイズについては、歯科医師が治療の現場において、患者に合わせて加工することができる。特に、歯科用ドリル等で削ることでサイズや形状を加工することができるので、インプラント体２は、必要なサイズよりもやや大きめであることが好ましい。
【００４１】
軸部２１の側面には、図１に示されるように、軸方向と直交する方向に貫通した孔部２１ａが設けられる。
孔部２１ａは、共に使用される複数のインプラント体２の軸部２１に連通するように形成され、棒体の如き固定部材４（後述する）を、各孔部２１に閂状に挿通させることで、複数のインプラント体２の軸部２１を固定することができる。
【００４２】
掛部２２は、軸部２１の顎骨６側に設けられ、顎骨６に穿設された掛穴６１に引掛けられる箇所である。換言すれば、掛部２２は、軸部２１の軸方向から屈折した角度で穿設された掛穴６１に、浅く進入して係止される箇所である。
掛部２２は、図１に示されるように、軸部２１の顎骨６側の端部に設けられ、軸部２１の軸方向に対して屈折した方向に設けられ、柱状、棒状、先細り状又は針状の形態に形成される。
【００４３】
掛部２２は、例えば、軸部２１の端部を屈折させるようにして、軸部２１に対して屈折して設けられ、この掛部２２を、同じく軸部２１の方向に対して屈折した方向に穿設された掛穴６１に進入させて引掛けるので、軸部２１の軸方向には抜けることがない。更に、各インプラント体２は、掛部２２の先端部２２ｃが互いに内側に向かって相対向するように取り付けられ、これらのインプラント体２が一体に結合されるので、掛部２２の屈折方向にも抜けることがない。
【００４４】
掛部２２の形状として、図１に示されるように、「く」の字形状を採用することができる。掛部２２を「く」の字形状とした場合に、軸部２１側を上部２２ａとし、上部２２ａから反対方向に屈折した箇所を下部２２ｂという。また、下部２２ｂの端部を、掛部２２の先端部２２ｃという。後述する掛穴６１の形状との兼ね合いで、下部２２ｂの先端部２２ｃ以外の部分は、円柱形状であることが好ましく、一方、先端部２２ｃは、先細り円柱形状又は針状の形状であることが好ましい。
図１では、上部２２ａと下部２２ｂの長さが略同じに表わされているが、これらの長さに限定はなく、一方が他方よりも長い構成であってもよい。
【００４５】
図１では、上部２２ａと下部２２ｂの角度が、略９０度に表わされているが、この角度に限定はないが、３０度から１５０度の範囲内であること好ましく、６０度から１２０度の範囲内であることがより好ましい。
また、図１では、軸部２１に対する屈折角度についても、上部２２ａと下部２２ｂそれぞれが約４５度に表わされているが、この角度にも限定はなく、例えば、上部２２ａは、軸部２１に対して３０度の屈折し、下部２２ｂは、軸部２１に対して６０度屈折し、上部２２ａと下部２２ｂの角度が９０度に形成される構成を採用することができる。
【００４６】
軸部２１に対する掛部２２の屈折角度は、掛部２２の上部２２ａ若しくは下部２２ｂ又は両方を屈曲させて調整できる構成であってもよい。これにより、掛部２２の（軸部２１に対する）屈折角度と、顎骨に穿設された掛穴６１の（軸部２１に対する）角度が一致していなくても、歯科医師が臨床現場において掛部２２の屈折角度を調整し、掛穴６１の角度と合致させることができる。掛部２２を屈曲させるには、歯科用ペンチ等の工具を使用して力を加えるか、掛部２２を加熱して屈曲し易くする等の手段を挙げることができる。
また、掛部２２は、強度を保つために、屈曲できない構成であってもよい。この場合、掛部２２の屈曲角度が異なる複数のインプラント体２を予め用意しておき、掛穴６１の角度に合致したものを選択して使用することができる。
【００４７】
掛部２２を「く」の字形状に形成することによる効果を、図３に従って説明する。
歯科インプラントシステム１は、掛部２２の先端部２２ｃが、互いに内側に向かって相対向するように配置される構成であるため、この掛部２２の各先端部２２ｃが当接しないように配置するためには、それぞれの軸部２１が相当の距離を隔てて配置されることになる。しかし、インプラント体２の掛部２２を「く」の字形状にすることで、「く」の字の上部２２ａが、他のインプラント体２に対して外側に向かった方向に屈折されるので、「く」の字の下部２２ｂに位置する先端部２２ｃを、軸部２１の軸方向の延長線上付近に位置させることができる。これにより、各インプラント体２は、軸部２１を接近させて配置することができ、これらの軸部２１を固定することも容易になる。
【００４８】
また、顎骨６に進入される掛部２２の先端部２２ｃと軸部２１との間に、「く」の字の上部２２ａが介在するので、軸部２１と顎骨６の間であって軸部２１の直下に当たる部分に空隙Ｓが設けられ、この箇所の歯肉７がインプラント体２で圧迫されることを防止・抑制でき、この箇所の歯肉７の血行を維持することができる。これにより、歯肉７を含む口腔全体に対する影響を、最小限に止めることができる。
【００４９】
掛部２２は、先端部２２ｃと他の部分との間に段部２２ｄが設けられ、先端部２２ｃが他の部分よりも小径であることが好ましい。かかる構成について、図４に従って説明する。
図４は、掛部２２を「く」の字形状とした場合の例であるため、先端部２２ｃは、掛部２２の下部２２ｂに位置し、この下部２２ｂに段部２２ｄが設けられた構成である。
【００５０】
掛部２２に段部２２ｄを設け、先端部２２ｃが他の部分よりも小径とすることで、顎骨６に穿設された掛穴６１への進入深度を一定にすることができる。詳述すると、先ず、顎骨６に設けられる掛穴６１について、掛部２２の先端部２２ｃと略同径の歯科用ドリル（例えば、ガイドドリル。）で顎骨６を穿設し、この穴の一部を、先端部以外の部分と略同径の歯科用ドリル（例えば、インプラントドリル。）で径を拡開して、２段階の径の掛穴６１を形成する。この掛穴６１に設けられた段差を掛穴段部６２という。その後、掛穴段部６２が設けられた掛穴６１に、掛部２２を挿入すると、掛穴段部６２と掛部２２の段部２２ｄの当接によって、掛部２２の掛穴６１への進入が、掛部の段部２２ｄで止まるので、掛部２２の掛穴６１への進入深度を一定にすることができる。掛部２２の進入深度は、インプラントドリル等の歯科ドリルによる径の拡開を行う深さ、即ち、掛穴段部６２が設けられる掛穴６１における深さ位置によって調整することができる。
【００５１】
また、掛部２２の進入深度を一定に保てることから、掛部を「く」の字形状とした効果と相俟って、軸部２１の直下に当たる部分に空隙Ｓ（図３参照）が設けられ、この箇所の歯肉７がインプラント体２で圧迫されずに済むので、この箇所の歯肉７の血行を維持することができ、これにより、歯肉７を含む口腔全体に対する影響を、最小限に止めることができる。
【００５２】
掛部２２のサイズに限定はないが、必要な強度と顎骨への影響を比較考量すると、長さが２ｍｍ〜８ｍｍ、径が２．５ｍｍ以下であることが好ましく、径について好ましくは２．０ｍｍ以下、特に１．５ｍｍ以下、就中１．０ｍｍ以下に形成する。また、掛部２２に段部２２ｄが設けられる構成では、先端部２２ｃの径が、他の部分よりも０．１ｍｍ以上小さいことが好ましい。径が小さいものは、前歯ないし上顎への施術に適し、径が大きいものは奥歯ないし下顎への施術に適する。尚、掛部２２の長さや径については、歯科医師が治療の現場において、患者に合わせて加工することができる。
掛部２２を、注射針程度の直径（上記のとおり、例えば、最大径が２．５ｍｍ以下、好ましくは２．０ｍｍ以下、特に好ましくは１．５ｍｍ以下、就中１．０ｍｍ以下。）で、長さが５ｍｍ前後という極めて小さなサイズに止めることができるので、歯肉７を切開せずに、歯肉７の上から施術が可能であり、歯肉の外側からインプラント体２を顎骨５に取り付け可能であるため、患者の心身の苦痛・負担を軽減することができる。
【００５３】
また、掛部２２の軸部２１に対する屈折角度（掛部２２が「く」の字形状である場合には、下部２２ｂの軸部２１に対する屈折角度）に限定はないが、１０度〜６０度の範囲であることが好ましく、３０度〜５０度の範囲であることがより好ましい。この屈折角度が小さいと、インプラント体２が軸方向へ離脱するおそれがあり、屈折角度が大きいと、掛部２２（又は掛穴６１）の上を覆う顎骨６の厚みが薄くなり、強い力が加わると当該部分が割れるおそれがあり、また掛部２１の取り付けも掛穴６１の穿設も困難になる。
【００５４】
インプラント体２を構成する各部は、十分な強度と硬度を有する材料で、一体に成形されることが好ましい。用いられる材料に限定はなく、インプラント体の材料として公知・公用の材料を特別の制限なく採用することができるが、例えば、チタン又はこの合金等の金属の他、セラミックスやジルコニア等を挙げることができる。
【００５５】
次に、アバットメント体３について説明する。
アバットメント体３は、複数のインプラント体２の軸部２１を固定させると共に、義歯５が装着される台座となるものである。
【００５６】
アバットメント体３は、図１に示されるように、インプラント体２の数に応じた軸部挿通孔部３１が設けられている。この軸部挿通孔部３１は、インプラント体２の軸部２１の形状に対応したもので、それぞれの軸部挿通孔部３１に、インプラント体２のそれぞれの軸部２１が挿通される。軸部挿通孔部３１の形状を、軸部２１の形状と予め一致させておくことで、複数のインプラント体２は、それぞれの軸部２１が軸部挿通孔部３１に挿通されることで結合ないし固定される。
【００５７】
図１は、２つのインプラント体２が挿通される構成であるが、３つのインプラント体２が挿通される場合には、軸部挿通孔部３１が３つ設けられ、４つのインプラント体２が挿通される場合には、軸部挿通孔部３１が４つ設けられる。尚、軸部挿通孔部３１は、挿通される軸部２１よりも大きめに形成しておき、軸部２１との間に生じた隙間を、歯科用セメント等で埋めて使用することもできる。尚また、図１における態様は、平面から底面まで貫通している孔であるが、平面が閉鎖された有底の穴状の態様を採用することもできる（図示しない）。
【００５８】
アバットメント体３は、図１に表わされる態様の他、中空の角柱形状に形成することができる（図示しない）。この場合、中空部には、複数のインプラント体２の軸部２１が挿通される。中空部３１ａの形状を、任意の数のインプラント体２の軸部２１の形状と予め一致させておくことで、中空部に挿通された複数の軸部２１は、この中空部内で密状態に収容され、束ねられるような態様で結合ないし固定される。また、中空部を、挿通される軸部２１よりも大きめに形成しておき、軸部２１との間に生じた隙間を、歯科用セメント等で埋めて使用することもできる。
【００５９】
アバットメント体３の側面には、図１に示されるように、軸部挿通孔部３１とは直交する方向に貫通した側面孔部３２が設けられる。
側面孔部３２は、軸部挿通孔部３１に相通されるインプラント体２の軸部２１に設けられた孔部２１ａと、連通するように形成され、棒体の如き固定部材４（後述する）を、各孔部２１と側面孔部３２に閂状に挿通させることで、複数のインプラント体２の軸部２１とアバットメント体３とを固定することができる。
【００６０】
アバットメント体３の側面には、図５に示されるように、相対向する側面溝部３３を設けることができる（図中において裏面に形成される他方の側面溝部３３は図示しない。）。この側面溝部３３を設けることによって、顎骨６に設置されたインプラント体２にアバットメント体３を取り付けた後、側面溝部３３に周囲の歯肉７が徐々に入り込み、アバットメント体３と歯肉７の接着を強固にすることができる。また、アバットメント体３を包み込む歯肉７の量を増加させることによって、歯肉７の血行を確保することができる。
尚、この側面溝部３３は、例えば、下記係止穴部３４に向かって次第に浅い深さとなる傾斜切除溝の形状であることが好ましい。
側面溝部３３は、片方の側面のみに設けてもよいし、上記のように相対向する両側面に１つずつ設けてもよく、更に、片方又は両方の側面にそれぞれ複数個設けてもよい。
【００６１】
アバットメント体３の平面（インプラント体２への取り付ける際に、顎骨７とは反対側に位置する面）には、図５に示されるように、係止穴部３４を設けることができる。この係止穴部３４は、他の部材を取り付ける際に利用することができ、例えば、アバットメント体３の高さを延長したい場合に、延長部材を取り付けることができ、また、義歯５を取り付ける際に利用することもできる。
係止穴部３４は、側面孔部３２に貫通しない深さで設けられることが好ましい。また、係止穴部３４には、雌ネジを設けてもよい（図示しない）。
【００６２】
アバットメント体３は、十分な強度と硬度を有する材料で、一体に成形されることが好ましい。用いられる材料に限定はなく、アバットメント体の材料として公知・公用の材料を特別の制限なく採用することができるが、例えば、チタン又はこの合金等の金属の他、セラミックスやジルコニア等を挙げることができる。
【００６３】
本発明において、インプラント体２だけでは、義歯５を顎骨６に固定するために必要な強度を得ることができない場合でも、複数のインプラント体２にアバットメント体３を結合させることによって、必要十分な強度を得ることができる。
【００６４】
図１に示される固定部材４は、複数のインプラント体２の軸部２１にそれぞれ設けられた孔部２１ａに閂状に挿通し、複数のインプラント体２を１つに固定するためのものである。また、固定部材４は、複数のインプラント体２の軸部２１にそれぞれ設けられた孔部２１ａと、アバットメント体３に設けられた側面孔部３２に閂状に挿通し、複数のインプラント体２とアバットメント体３とを固定するためのものである。
【００６５】
複数のインプラント体２を固定する手段として、それぞれのインプラント体２の軸部２１に設けられた孔部２１ａに、固定部材４を閂状に挿通させる手段を挙げることができる。固定部材４が孔部２１ａから脱落しないように、挿通後に歯科用セメント等で周辺を固めることが好ましい。また、複数のインプラント体２の軸部２１に、アバットメント体３を被冠させる手段を挙げることもできる。更に、これらの手段を掛け合わせて、インプラント体２の軸部２１にアバットメント体３を被冠させ、これらに連通して設けられた孔部２１ａ及び側面孔部３２に、固定部材４を閂状に挿通させる手段を挙げることができる。
尚、複数のインプラント体２を固定する手段は、上記固定部材４をしなくてもよく、歯科用セメント等を使用して接着固定してもよい。
【００６６】
固定部材４の形状に限定はないが、図１に示されるような円柱その他の棒体に形成することを例示することができる。
固定部材４は、十分な強度と硬度を有する材料で、一体に成形されることが好ましい。用いられる材料に限定はなく、インプラント体やアバットメント体の材料と同様に、公知・公用の材料を特別の制限なく採用することができるが、例えば、チタン又はこの合金等の金属の他、セラミックスやジルコニア等を挙げることができる。
【００６７】
本発明では、少なくとも２つのインプラント体２が使用される。図１に表わされる実施例では、２つのインプラント体２を使用しているが、１本の歯当たり３つ以上のインプラント体２を使用することができ、特に奥歯など、顎骨６に十分な骨量があり、強度が必要な箇所には、４〜６つのインプラント体２を使用することができる。
【００６８】
１本の歯に対し、４つのインプラント体２を使用する場合の実施例を、図６に従って説明する。
インプラント体２は、それぞれの掛部２２の先端部２２ｃが、互いに内側に向かって相対向するように配置された２つのインプラント体２を対として、図６に示すように、この対を２組並列させる。
【００６９】
アバットメント体３は、軸部挿通孔部３１が４つ設けられたものが使用され、各軸部挿通孔部３１に軸部２１が１本ずつ挿通される。側面孔部３２は、軸部挿通孔部３１に直交する方向に貫通したものが、２組設けられる。
【００７０】
固定部材４（図６において図示を省略する。）は、２本使用される。４つのインプラント体２にアバットメント体３が取り付けられた後、２つのインプラント体２の孔部２１ａとアバットメント体３の側面孔部３２に、１本の固定部材４を連通させる。同じく、他方の２つのインプラント体２の孔部２１ａとアバットメント体３の側面孔部３２に、１本の固定部材４を連通させる。これにより、４つのインプラント体２と１つのアバットメント体３は、２本の固定部材４によって固定される。
【００７１】
図７〜図１１に、本発明の他の実施例を示す。図７には、アバットメント体３を表すＡ−Ａ断面図と、インプラント体２を表す正面図を示す。図８には、図７におけるアバットメント体３の平面図、図９には、図７におけるインプラント体２のうち掛部２２の記載を省略した平面図を示す。図１０には、図７におけるインプラント体２とアバットメント体３を結合・固定して形成された歯科インプラントシステム１の一部断面正面図を示す。図１１には、図１０における歯科インプラントシステム１のうち掛部２２の記載を省略した平面図を示す。
【００７２】
図７〜図１１に示される実施例は、インプラント体２の軸部が、分割円柱形状に形成され（この軸部を、分割円柱軸部２３という。）、２つのインプラント体２の分割円柱軸部２３を接合させることで、１つの接合円柱軸部２４が形成される構成である。詳述すると、軸方向に円柱を分割した形状である分割円柱形状にインプラント体２の分割円柱軸部２３を形成し、この２つの分割円柱軸部２３を接合させると、１つの円柱（接合円柱軸部２４）が形成される構成であり、２つのインプラント体２の接合によって１つの円柱形状の軸部を形成することができる。
この接合円柱軸部２４が、１つの円柱として形成されることによって、これに被覆するアバットメント体３や義歯５の加工及び取り付け（固定）が容易となり、アバットメント体３等の生産コストを下げられると共に、施術時間を短縮することができる。
【００７３】
図７〜図１１に示される実施例は、２つのインプラント体２の分割円柱軸部２３を係止するために、２つの分割円柱軸部２３に各々連通される孔部２３ａが設けられ、この２つの分割円柱軸部２３が接合された後に、この連通された孔部２３ａに固定部材４（図７〜図１１には図示しない。）を挿通させることによって、２つのインプラント体２の分割円柱軸部２３が係止される構成である。かかる構成は、図１に示される実施例と同様である。
２つのインプラント体２の分割円柱軸部２３を係止するための他の手段として、一方のインプラント体２の分割円柱軸部２３には、凸部等の係止部（図示しない。）が設けられ、他方のインプラント体２の分割円柱軸部２３には、凹部等の被係止部（図示しない。）が設けられ、この係止部と被係止部が係止や嵌合等されることによって、２つのインプラント体２の分割円柱軸部２３が係止され、接合円柱軸部２４が形成される構成を挙げることができる。
【００７４】
また、図７〜図１１に示される実施例は、接合円柱軸部２４の外周に雄ネジ２５が設けられ、アバットメント体３に、接合円柱軸部２４の外周に設けられた雄ネジ２５に対応した雌ネジ部３５が設けられた構成である。この構成により、インプラント体２の接合円柱軸部２４に、アバットメント体３を螺合により結合することができ、確実に固定することができる。尚、図７等におけるアバットメント体３は、軸部挿通孔部３１が有底の穴状に表わされているが、平面から底面まで貫通した孔状の形態であってもよい。
【００７５】
歯科インプラントシステム１は、総入れ歯に応用することができる。
図１２に示されるように、少なくとも２つが対になったインプラント体２とアバットメント体３を、適当な間隔を空けながら顎骨６に取り付け、ここに一方の奥歯から他方の奥歯まで連設された義歯５を取り付けることで、歯科インプラントシステム１は総入れ歯の
ように使用することができる。尚、図１２においては、第３大臼歯（親知らず）に相当する歯の記載を省略しているが、この第３大臼歯に相当する位置に、歯科インプラントシステム１を取り付けることもできる。
【００７６】
また、歯科用インプラントシステム１は、部分入れ歯又は歯科ブリッジに応用することができる。
図１３に示されるように、少なくとも２つが対になったインプラント体２とアバットメント体３を、天然歯が欠損した箇所の顎骨６の両端に取り付け、ここに、欠損した分の歯が連設された義歯５を取り付けることで、歯科インプラントシステム１は部分入れ歯又は歯科ブリッジのように使用することができる。尚、図１３においては、第３大臼歯（親知らず）に相当する歯の記載を省略しているが、この第３大臼歯に相当する位置に、歯科インプラントシステム１を取り付けることもできる。
【００７７】
続いて、歯科インプラントシステム１を用いた治療手順について説明する。
ここでは、図１に示されるように、インプラント体２を２つ、アバットメント体３を１つ、固定部材４を１つ用いた場合の手順を説明する。
先ず、歯科用ドリルを使用して顎骨６の歯槽骨に２つの掛穴６１を穿設する。この際に、顎骨６を覆う歯肉７を切開し、顎骨６を露出させてから掛穴６１を穿設してもよいし、歯肉７を切開しないで、歯肉７の上から歯科用ドリルを刺すように挿入し、顎骨６に掛穴６１を穿設することも可能である。インプラント体２の掛部２２は、直径で３ｍｍ以下という注射針の如き極細部材であり、掛穴６１も略同径の穴を穿設すればよく、歯肉７を切開しないで、歯肉７に歯科用ドリルを刺すように挿入して顎骨６まで到達し、掛穴６１を穿設することが可能である。
【００７８】
２つの掛穴６１は、図１に示されるように、互いに内側に向かって相対抗する方向に穿設され、歯列の外側から内側に向けて、又は歯列の内側から外側に向けて穿設されることが好ましい。歯列の内側から外側に向けての方向又はその反対方向から穿設することで、隣接する歯が邪魔にならず、作業が容易となるからである。
掛穴６１は、インプラント体２における掛部２２の屈折角度と略同一となる角度に穿設することが好ましい。尚、歯肉７を切開する場合は、掛穴６１を穿設する前に、顎骨６の歯槽骨の表面に球冠状等の窪みを設けておけば、掛穴６１を任意の角度に穿設し易い。
掛穴６１の穿設手段について詳述すると、先ず、掛部２２の先端部２２ｃと略同径のガイドドリルを用いて顎骨６を穿設し、この穿設した穴の一部を、先端部２２ｃ以外の部分と略同径のインプラントドリルを用いて径を拡開し、掛穴段部６２を有する２段階の径の掛穴６１を形成する。ガイドドリルでは、掛部２２の下部２２ｂの長さと同程度の深さ又はそれ以上の深さまで穿設することが好ましく、インプラントドリルでは、下部２２ｂの先端部２２ｃ以外の部分の長さと同程度の深さ又はそれ以下の深さまで径の拡開することが好ましい。
【００７９】
次に、一方の掛穴６１に、インプラント体２の掛部２２を挿入し、引掛けるようにして取り付ける。挿入していくと、掛部２２の段部２２ｄと、掛穴６１の掛穴段部６２が当接し、それ以上深くは挿入されない（図４参照）。
この際、掛穴６１の屈折角度に合わせて、この屈曲角度と掛部２２の屈折角度が合致するインプラント体２を選択して使用する。インプラント体２の掛部２２が屈曲可能な構成の場合は、掛部２２を掛穴６１の屈折角度に合致させるように屈曲させて使用することができる。
【００８０】
続いて、他方の掛穴６１にも同様に、インプラント体２の掛部２２を取り付ける。
この際、２つのインプラント体２は、それぞれの掛部２２が掛穴６１に挿入される過程において、それぞれの軸部２１が接近し、互いに寄せ合う格好となる。
尚、掛部２２と掛穴６１の大きさが合致しない場合には、治療現場において歯科用ドリル等を使用して、掛部２２の先端部２２ｃを短く又は細く加工してもよい。
【００８１】
次に、アバットメント体３をインプラント体２に被冠させる。具体的には、アバットメント体３に設けられた軸部挿通孔部３１を、それぞれの軸部２１に軸方向から被せるようにして挿通させる。この状態において、インプラント体２は、それぞれの軸部２１が、アバットメント３の軸部挿通孔部３１ａに密状態で収容される。
【００８２】
次に、インプラント体２とアバットメント体３のそれぞれに設けられた孔部２１ａと側面孔部３２に、固定部材４を閂状に連通させる。これにより、インプラント体２とアバットメント体３は固定される。
インプラント体２とアバットメント体３の間や、孔部２１ａ又は側面孔部３２と固定部材４との間に、隙間が生じる場合には、この隙間を歯科用セメント等で埋めることができ、インプラント体２、アバットメント体３及び固定部材４が隙間なく一体となって固定されることが好ましい。
【００８３】
最後に、インプラント体２、アバットメント体３及び固定部材４との結合体に、義歯５を被せる。この際、アバットメント体３を、義歯５に合わせて歯科用ドリル等で加工し、両者が嵌合するように形状を整えることができ、更には歯科用接着剤や歯科用セメント等を用いて、両者を接着固定してもよい。
【００８４】
本発明に係る歯科インプラントシステム１によれば、インプラント体２に設けられた掛部２２を、顎骨６に穿設された掛穴６１に引掛けることによって、インプラント体２を顎骨６に取り付けることができるので、従来のインプラント治療のように、インプラント体２と顎骨６とが結合する期間が不要であり、治療期間及び治療回数を短縮することができる。治療を急ぐ場合には、抜歯と同日にでも、顎骨６への掛穴６１の穿設から、インプラント体２及びアバットメント体３の取り付けが可能である。患者に合った義歯５の製作が、同日中に可能であるならば、抜歯と同日に、治療を終えることができる。義歯５の完成が後日になる場合であっても、抜歯からインプラント体２等の取り付けと、義歯５の取り付けの２回の治療で終えることができる。
【００８５】
また、インプラント体２の掛部は、直径で３ｍｍ以下という注射針程度の極細部材であることから、掛穴６１の穿設からインプラント体２の取り付けに至るまで、歯肉７を切開せずに、歯肉７の上から施術が可能であり、出血を最小限に抑えることができ、患者に与える心身の苦痛や負担を最小限に止めることができる。
更に、掛部２２は、顎骨６に対して浅くかつ斜めに取り付けられるので、取り付け箇所の骨の厚さや骨量が最小限で足り、特に上顎など、従来のインプラント治療では、補助手術をしなければならなかった患者に対しても施術可能であり、この分の治療回数・時間を短縮することもできる。
【００８６】
本発明に係る歯科インプラントシステム１を使用すれば、顎骨６の骨量等を問わず、多くの患者の治療期間及び治療回数を短縮することができると共に、顎骨６や歯肉７といった口腔全体への影響を最小限に止めることで、患者の精神的及び身体的負担を軽減することができる歯科インプラント治療を提供することができる。
【００８７】
本発明の参考発明として、以下の構成を挙げることができる。尚、参考発明に係る各部名称は、本発明に係る各部名称とは必ずしも一致しないことがあり、同じ名称を用いていても、異なる箇所を指し、又は異なる構成や意味である場合がある。参考発明に係る図面は、図１４から図３０であり、数字の符号には、全て１００番台が付され、ローマ字の符号には、全て「’（ダッシュ）」が付されている。
【００８８】
以下に掲げる参考発明の課題は、インプラント体と顎骨との結合期間を必要とせず、顎骨の骨量や厚さが少ない患者にも施術でき、多くの患者の治療期間及び治療回数を短縮することができると共に、顎骨への影響を最小限に止めることで、患者の精神的及び身体的負担を軽減することができる歯科インプラントシステムを提供することにある。
【００８９】
（１）１本の歯に対して、複数のインプラント体が用いられる歯科インプラントシステムにおいて、
各インプラント体の軸部に、顎骨に穿設された掛穴に引掛けられる掛部が設けられ、
この掛部は、前記軸部に対して屈折されており、
各インプラント体が、顎骨に引掛けられる際に、この掛部の屈折方向が、複数のインプラント体で異なることを特徴とする歯科インプラントシステム。
【００９０】
（２）２つのインプラント体が対を成し、
各インプラント体の掛部の屈折方向が、相対向するように配置される構成であることを特徴とする前記（１）に記載の歯科インプラントシステム。
【００９１】
（３）少なくとも２対のインプラント体から成り、
一方の対を成す２つのインプラント体について、各インプラント体の掛部の屈折方向が、互いに内側に向かって相対向するように配置され、
他方の対を成す２つのインプラント体について、各インプラント体の掛部の屈折方向が、互いに外側に向かって相対向するように配置される構成であることを特徴とする前記（２）に記載の歯科インプラントシステム。
【００９２】
（４）対を成す２つのインプラント体が、各軸部が交差するように配置され、該軸部が交差する位置で枢支される構成であることを特徴とする前記（２）又は（３）に記載の歯科インプラントシステム。
【００９３】
（５）３つ以上のインプラント体が対を成し、
そのうちの少なくとも２つのインプラント体について、各インプラント体の掛部の屈折方向が、相対向するように配置されることを特徴とする前記（１）に記載の歯科インプラントシステム。
【００９４】
（６）３つ以上のインプラント体が対を成し、
そのうちの少なくとも２つのインプラント体が、各軸部が交差するように配置され、該軸部が交差する位置で枢支される構成であることを特徴とする前記（５）に記載の歯科インプラントシステム。
【００９５】
（７）インプラント体の軸部と掛部との間に、軸部に対する掛部の屈折角度を調整するための角度調整部が設けられることを特徴とする前記（１）〜（６）のいずれかに記載の歯科インプラントシステム。
【００９６】
（８）インプラント体の軸部の基端部に、少なくとも掛部の屈折方向とは反対方向に突出した軸固定部が設けられることを特徴とする前記（１）〜（７）のいずれかに記載の歯科インプラントシステム。
【００９７】
（９）インプラント体の軸部に、鍔状の凸部が設けられることを特徴とする前記（１）〜（８）のいずれかに記載の歯科インプラントシステム。
【００９８】
（１０）複数のインプラント体の軸部を結合させると共に、義歯が装着される台座となる
アバットメント体を有することを特徴とする前記（１）〜（９）のいずれかに記載の歯科インプラントシステム。
【００９９】
（１１）アバットメント体の側面に、透孔が設けられることを特徴とする前記（１０）に記載の歯科インプラントシステム。
【０１００】
（１２）アバットメント体に、顎骨に埋入して固定されるための爪部が設けられることを特徴とする前記（１０）又は（１１）に記載の歯科インプラントシステム。
【０１０１】
（１３）アバットメント体に２つの爪部が設けられ、
アバットメント体によって２つのインプラント体の軸部が結合された状態において、
前記２つの爪部が、前記２つのインプラント体の掛部の基端部と、略等辺の四角形を形成する位置に形成されることを特徴とする前記（１０）〜（１２）のいずれかに記載の歯科インプラントシステム。
【０１０２】
（１４）アバットメント体が、複数のインプラント体の軸部を束ねることで結合させる構成であることを特徴とする前記（１０）〜（１３）のいずれに記載の歯科インプラントシステム。
【０１０３】
（１５）インプラント体の軸部及び角度調整部は、板状に形成され、
掛部は、柱状又は針状に形成されることを特徴とする前記（１）〜（１４）のいずれかに記載の歯科インプラントシステム。
【０１０４】
（１６）掛部が、直径０．５ｍｍ以上５ｍｍ以下の柱状体又は針状体であることを特徴とする前記（１）〜（１５）のいずれかに記載の歯科インプラントシステム。
【０１０５】
（１７）インプラント体を顎骨に埋入した後、インプラント体と顎骨との結合を要しないことを特徴とする前記（１）〜（１６）のいずれかに記載の歯科インプラントシステム。
【０１０６】
前記（１）に示す発明によれば、インプラント体に設けられた掛部を、顎骨に穿設された掛穴に引掛けることによって、インプラント体を顎骨に取り付けることができる。この取り付け手段によって、１本の歯に対して複数のインプラント体を顎骨に取り付け、これらのインプラント体を歯科用セメント等によって一体に結合すれば、複数のインプラント体が顎骨に固定される。
【０１０７】
インプラント体に設けられた掛部は、例えば、軸部の端部を屈折させたように、軸部に対して屈折して設けられ、この掛部を、同じく軸部の方向に対して屈折した方向に穿設された掛穴に引掛けるので、軸部方向には抜けることがない。更に、各インプラント体は、掛部の屈折方向が異なるように取り付けられ、これらのインプラント体が一体に結合されるので、掛部の屈折方向にも抜けることがない。
【０１０８】
従来のインプラント治療とは異なり、インプラント体を顎骨にねじ込む等して深く埋入させるのではなく、顎骨に浅く穿設された掛穴に、掛部を引掛ける構成であるため、顎骨の骨量や厚さが少ない場合であっても、補助手術等をすることなく施術することができる。また、インプラント体を深く埋入させることによる顎骨への損傷等の影響を最小限に止めることができる。
【０１０９】
かかる構成の歯科インプラントシステムであれば、インプラント体を顎骨に引掛け、各インプラント体を一体に結合するだけで、一体に結合されたインプラント体が顎骨に固定されるので、従来のインプラント治療のように、インプラント体と顎骨とが結合する期間
が不要であり、治療期間及び治療回数を短縮することができる。また、顎骨の骨量や厚さが少ない患者にも施術でき、補助手術による治療期間の延長を避けることもできる。
即ち、顎骨の骨量等を問わず、多くの患者の治療期間及び治療回数を短縮することができると共に、顎骨への影響を最小限に止めることで、患者の精神的及び身体的負担を軽減することができる歯科インプラントシステムを提供することができる。
【０１１０】
前記（２）に示す発明によれば、２つのインプラント体の掛部の屈折方向が、相対抗するように配置することによって、各掛部が引掛けられる方向が反対になり、これらの２つのインプラント体が一体に結合されれば、一体に結合されたインプラント体が顎骨から外れることがなく固定される。
【０１１１】
前記（３）に示す発明によれば、２対のインプラント体について、それぞれ内側に向かって相対向するものと、外側に向かって相対向するものを組み合わせることによって、掛部があらゆる方向に対して抜け難くなり、インプラント体の顎骨への固定がより強化される。
【０１１２】
前記（４）に示す発明によれば、２つのインプラント体の各軸部が交差するように配置され、該軸部が交差する位置で枢支されるので、石吊り具の要領で、軸部に対して顎骨から引き抜かれる方向に力が加わると、掛部が顎骨を掴むように、内側に向かって力を加えるように働くので、軸部を引き抜こうとすればするほど、顎骨からインプラント体が抜け難くなる。
【０１１３】
前記（５）に示す発明によれば、インプラント体が３つ以上使用される場合であっても、そのうちの少なくとも２つのインプラント体の掛部の屈折方向が、相対抗するように配置することによって、各掛部が引掛けられる方向が反対になり、これらの２つのインプラント体が一体に結合されれば、一体に結合されたインプラント体が顎骨から外れることがなく固定される。
【０１１４】
前記（６）に示す発明によれば、インプラント体が３つ以上使用される場合であっても、そのうちの少なくとも２つのインプラント体の各軸部が交差するように配置され、該軸部が交差する位置で枢支されるので、石吊り具の要領で、軸部に対して顎骨から引き抜かれる方向に力が加わると、掛部が顎骨を掴むように、内側に向かって力を加えるように働くので、軸部を引き抜こうとすればするほど、顎骨が抜け難くなる。
【０１１５】
前記（７）に示す発明によれば、インプラント体に設けられた角度調整部によって、掛部の軸部に対する屈折角度を調整することができ、掛部の屈折角度と、顎骨に穿設された掛穴の角度が一致していなくても、歯科医師が臨床現場において、これらの角度を調整し合致させることができる。
【０１１６】
前記（８）に示す発明によれば、軸部の基端部に、少なくとも掛部の屈折方向とは反対方向に突出した軸固定部によって、この軸固定部が、顎骨の表面に当接し、顎骨に埋入された掛部と相俟って、顎骨に取り付けられた軸部が傾くことを防止・抑制することができる。
【０１１７】
前記（９）に示す発明によれば、鍔状の凸部が設けられることで、歯科用セメント等を用いて、複数のインプラント体を結合・固定する場合に、用いられる歯科用セメントの移動を規制するので、結合・固定を強化することができる。
【０１１８】
前記（１０）に示す発明によれば、義歯が装着される台座となるアバットメント体が、複数のインプラント体の軸部を結合させるので、複数のインプラント体とアバットメント
体とで、義歯と装着させるための基礎を形成することができる。
【０１１９】
前記（１１）に示す発明によれば、アバットメント体の側面に、透孔が設けられることで、歯科用セメント等を用いてインプラント体とアバットメント体を結合・固定する場合に、インプラント体とアバットメント体の間に塗布されたセメントが、この透孔にも流入することで、インプラント体、アバットメント体及び歯科用セメントがより強固に結合・固定され、更に、この透孔からはみ出した歯科用セメントを簡単に除去することもできる。
【０１２０】
前記（１２）に示す発明によれば、アバットメント体に設けたれた爪部が、顎骨に埋入されるので、インプラント体と顎骨との固定に、アバットメント体と顎骨との固定も加わり、より強く固定させることができる。
【０１２１】
前記（１３）に示す発明によれば、アバットメント体に設けられた２つの爪部が、２つのインプラント体の掛部と、略等辺の四角形を形成する位置に形成されるので、２つのインプラント体とアバットメント体との結合体が、掛部の屈折方向のみならず、これと直交する方向に対しても強く固定される。
【０１２２】
前記（１４）に示す発明によれば、アバットメント体が、複数のインプラント体の軸部を束ねることで結合させるので、アバットメント体とインプラント体の取り付けが容易であり、かつ複数のインプラント体を確実に結合することもできる。
【０１２３】
前記（１５）に示す発明によれば、インプラント体の軸部及び角度調整部が板状に形成されるので、２つの板状の軸部を重ねることで、２つのインプラント体を相対向して配置することができる。また、掛部が柱状又は針状に形成されるので、顎骨に穿設する掛穴は、ドリル等によって容易に穿設できる丸穴でよい。このような態様にインプラント体を形成することによって、施術を容易にすることができる。
【０１２４】
前記（１６）に示す発明によれば、掛部を、直径０．５ｍｍ以上５ｍｍ以下の柱状体又は針状体に形成することで、顎部に設けられる掛穴もこれに対応するサイズを穿設すればよく、掛穴の穿設が容易であると共に、顎骨への損傷等の影響を最小限に止めることができる。
【０１２５】
前記（１７）に示す発明によれば、インプラント体を顎骨に埋入した後、インプラント体と顎骨との結合を要しない構成なので、治療期間及び治療回数を短縮することができる。
【０１２６】
参考発明に係る歯科インプラントシステム１０１は、現在実施されている歯科インプラント治療とは異なり、インプラント体を顎骨に埋入した後のインプラント体と顎骨との結合（オッセオインテグレーション）が不要であり、治療期間及び治療回数を短縮することができる歯科インプラントシステムである。
【０１２７】
以下、添付の図面に従って参考発明を詳細に説明する。
参考発明に係る歯科インプラントシステム１０１の一例として、図１４に分解説明図を示す。
【０１２８】
図１４に示されるように、歯科インプラントシステム１０１は、少なくとも２つのインプラント体１０２から構成され、これに直接又はアバットメント体１０３を介して義歯１０４が取り付けられる。
【０１２９】
参考発明におけるインプラント体１０２は、顎骨１０５の特に歯槽骨に設けられた掛穴１５１に、引掛けて固定するためのものである。
インプラント体１０２は、図１５又は図１６に表わされるように、少なくとも軸部１２１及び掛部１２２から構成され、角度調整部２又は位置決め部１２４を設けることができる。
【０１３０】
図１５は、軸部１２１及び角度調整部１２３を板状に形成した例であり、図１６は、軸部１２１及び角度調整部１２３を角柱状に形成した例である。尚、軸部１２１及び角度調整部１２３の形状は、図１５又は図１６に表わされる形態に限定されるものではない。
【０１３１】
軸部１２１は、顎骨１０５から自然歯が生える方向と同方向に立設され、顎骨１０５と義歯１０４とを直接又は後述するアバットメント体１０３を介して接続し、固定する箇所である。
軸部１２１の形状に限定はないが、例えば、図１５に示されるように、板状に形成することもできるし、図１６に示されるように、角柱状に形成することもできる。尚、軸部１２１の形状として、円柱状等の非角型を採用することもできるが、後述するように、参考発明に係る歯科インプラントシステム１０１は、２つ以上のインプラント体１０２を組み合わせて使用するため、この２つ以上のインプラント体１０２を所定の箇所に配置する際に、板状や角柱状のように側面に平面を有する形状の方が、平面同士を接して固定し易いという利点がある。
【０１３２】
また、軸部１２１のサイズに限定はないが、例えば、図１５に示されるように板状に形成される場合には、長さが５ｍｍ〜１５ｍｍ、板の幅が２ｍｍ〜７ｍｍ、板の厚さが１ｍｍ〜２ｍｍに形成することができ、図１６に示されるように角柱状に形成される場合には、同じく長さが５ｍｍ〜１５ｍｍ、対角線長が２ｍｍ〜３ｍｍ（奥歯用は４ｍｍ〜７ｍｍ）に形成することができる。
尚、軸部１２１の長さや径又は厚さについては、歯科医師が治療の現場において、患者に合わせて加工することができる。特に、歯科用ドリル等で削ることでサイズや形状を加工することができるので、インプラント体１０２は、必要なサイズよりもやや大きめであることが好ましい。
【０１３３】
掛部１２２は、軸部１２１の顎骨１０５側に設けられ、顎骨１０５に穿設された掛穴１５１に引掛けられる箇所である。
掛部１２２は、図１５又は図１６に示されるように、軸部１２１の顎骨１０５側の端部に又は後述する角度調整部１２３を介して設けられ、軸部１２１の軸方向に対して屈折した方向に設けられ、柱状又は針状に形成される。
【０１３４】
掛部１２２は、例えば、軸部１２１の端部を屈折させるようにして、軸部１２１に対して屈折して設けられ、この掛部１２２を、同じく軸部１２１の方向に対して屈折した方向に穿設された掛穴１５１に引掛けるので、軸部１２１の軸方向には抜けることがない。更に、各インプラント体１０２は、掛部１２２の屈折方向が異なるように取り付けられ、これらのインプラント体１０２が一体に結合されるので、掛部１２２の屈折方向にも抜けることがない。
【０１３５】
特に、掛部１２２は、２つのインプラント体１０２が対を成す場合において、各インプラント体１０２の掛部１２２の屈折方向が、相対向するように配置されることが好ましい。具体的には、掛部１２２の屈折方向が、互いに内側に向かって向き合う格好で相対向するように配置されること（図１４に示されるインプラント体１０２の配置方向を参照。）、又は、掛部１２２の屈折方向が、互いに外側に向かって相対向するように配置されることが好ましい。
３つ以上のインプラント体１０２が対を成す場合においても、そのうちの少なくとも２つのインプラント体１０２について、各インプラント体１０２の掛部１２２の屈折方向が、相対向するように配置されることが好ましい。
【０１３６】
また、２つのインプラント体１０２が対を成す場合であって、少なくとも２対のインプラント体１０２から構成される場合は、一方の対を成す２つのインプラント体１０２について、各インプラント体１０２の掛部１２２の屈折方向が、互いに内側に向かって相対向するように配置され、他方の対を成す２つのインプラント体１０２について、各インプラント体１０２の掛部１２２の屈折方向が、互いに外側に向かって相対向するように配置される構成とすることが好ましい。
【０１３７】
２つのインプラント体１０２が対を成す構成について、詳述する。
図１７は、２対のインプラント体１０２から構成される場合において、掛部１２２側から軸部１２１側を臨む方向に観察した場合における概略図である。この図１７において、角度調整部１２３が表れる２つで対を成すインプラント体１０２は、図１５に示される態様であり、軸部１２１が表れる２つで対を成すインプラント体１０２は、図１６に示される態様である。
【０１３８】
図１７に示されるように、２対のインプラント体１０２から構成される場合は、一方の対を成すインプラント体１０２（図１５に示される態様）は、その掛部１２２の先端部１２２ａが、互いに内側を向いて相対向するように配置され、他方の対を成すインプラント体１０２（図１６に示される態様）は、その掛部１２２の先端部１２２ａが、互いに外側を向いて相対向するように配置されることが好ましい。かかる構成を採用することによって、２対のインプラント体１０２について、それぞれ内側に向かって相対向するものと、外側に向かって相対向するものとが組み合わされるので、掛部１２２があらゆる方向に対して抜け難くなり、インプラント体１０２の顎骨１０５への固定がより強化される。
【０１３９】
掛部１２２のサイズに限定はないが、必要な強度と顎骨への影響を比較考量すると、長さが３ｍｍ〜１０ｍｍ、径が０．５ｍｍ〜５ｍｍの範囲に形成することが好ましく、径について０．７ｍｍ〜２ｍｍの範囲に形成することがより好ましい。径が細いものは、前歯ないし上顎への施術に適し、径が太いものは奥歯ないし下顎への施術に適する。尚、掛部１２２の長さや径については、歯科医師が治療の現場において、患者に合わせて加工することができる。
また、掛部１２２の軸部１２１に対する屈折角度に限定はないが、１０度〜６０度の範囲であることが好ましく、３０度〜５０度の範囲であることがより好ましい。この屈折角度が小さいと、インプラント対２が軸方向へ離脱するおそれがあり、屈折角度が大きいと、掛部１２２（又は掛穴１５１）の上を覆う顎骨１０５の厚みが薄くなり、強い力が加わると当該部分が割れるおそれがあり、また掛部２１の取り付けも掛穴１５１の穿設も困難になる。
【０１４０】
角度調整部１２３は、軸部１２１と掛部１２２との間に設けられ、軸部１２１に対する掛部１２２の屈折角度を調整するための箇所である。
角度調整部１２３は、  図１５に示されるように、軸部１２１と掛部１２２との接続箇所に、軸部１２１の軸方向に略直交する方向に延設することができる。この延設された角度調整部１２３は、軸部１２１よりも細くないし薄く形成することで屈曲し易くなり、この角度調整部１２３を任意に屈曲させることで、軸部１２１に対する掛部１２２の屈折角度を調整することができる。
【０１４１】
また、図１６に示されるように、軸部１２１の掛部１２２近傍の一部を溝状ないし凹状に形成し、当該部分を軸部１２１の径又は厚さよりも細く又は薄く形成することによって
設けることができる。この溝状ないし凹状に設けられる角度調整部１２３は、軸部１２１の外周に沿って連続的に設けられてもよいし、断続的に複数個が設けられてもよい。この溝状ないし凹状に設けられた箇所は、軸部１２１よりも細くないし薄く形成することで屈曲し易くなり、この角度調整部１２３を任意に屈曲させることで、軸部１２１に対する掛部１２２の屈折角度を調整することができる。
【０１４２】
位置決め部１２４は、軸部１２１の外周に突出して設けられ、後述するアバットメント体１０３が用いられる場合に、インプラント体１０２との取り付け位置を確認ないし予め決定するために設けられる。
位置決め部１２４は、図１６に示されるように、軸部１２１の外周に沿って鍔状に設けることができる。アバットメント体２に軸部１２１が挿入される際に、位置決め部１２４の位置まで挿入されると、この位置決め部１２４にアバットメント体１０３が当接し、これ以上は挿入されなくなり、この位置でインプラント体１０２とアバットメント体１０３とを取り付けることができる。尚、図１５に示されるインプラント体１０２の場合には、軸部１２１から延設された角度調整部１２３が位置決め部１２４の役割を果たすことができる。
【０１４３】
図１５に示されるインプラント体１０２のような形態の場合は、軸部１２１の下端に、突起部（図示しない）を設けることができる。この突起部は、顎骨１０５に浅く埋入して固定されるための凸部ないし小突起である。突起部は、顎骨１０５に軽く打ち込むことによって、又は予め穿設された穴に埋入することによって顎骨１０５に固定される。この突起部を設けることにより、特に、横方向（軸部１２１の軸方向とは直交する方向）への強度を高めることができる。
突起部は、軸部１２１の下端に１つ設けてもよいし、この下端の幅方向両端部に１つずつ計２つ設けてもよいし、３つ以上を設けてもよい。
【０１４４】
インプラント体１０２には、以下に説明するように、軸固定部１２５、凸部１２６、枢支部１２７を設けることもできる。
【０１４５】
図１８に示されるように、インプラント体１０２の軸部１２１の基端部に、少なくとも掛部１２２の屈折方向とは反対方向に突出した軸固定部１２５を設けることができる。この軸固定部１２５が、顎骨１０５の表面に当接し、顎骨１０５に埋入された掛部１２２と相俟って、顎骨１０５に取り付けられた軸部１２１が傾くこと、特に掛部１２２の屈折方向とは反対方向に傾くことを防止・抑制することができる。
軸固定部１２５は、インプラント体１０２の軸部１２１の基端部に設けられ、少なくとも掛部１２２の屈折方向とは反対方向に突出させることで設けることができ、該基端部の全周にわたって突出させてもよいし、掛部１２２の屈折方向とは反対方向に加えて他の方向に突出させてもよい。
【０１４６】
図１９又は図２０に示されるように、インプラント体１０２の軸部１２１に、鍔状の凸部１２６を設けることができる。歯科用セメント等を用いて、複数のインプラント体１０２やアバットメント体１０３を結合・固定する場合に、この凸部１２６が、歯科用セメントの移動を規制するので、結合・固定を強化することができる。
図１９は、図１５に示されるインプラント体１０２に凸部１２６が設けられた例であり、図２０は、図１６に示されるインプラント体１０２に凸部１２６が設けられた例である。
【０１４７】
凸部１２６は、軸部１２１の側面に鍔状に設けることができるが、全周にわたって連続的に形成される必要はなく、全周にわたって断続的に凸部１２６が形成されてもよいし、例えば半周や１／４周のように一部の周回に形成されてもよい。また、凸部１２６は、軸
部１２１に上下に複数段設けることができる。図１９は、凸部１２６が上下２段に設けられた例であり、図２０は、凸部１２６が上下３段に設けられた例である。
図２０に示される軸部１２１について、軸部１２１の基端部に設けられた凸部１２６（図面上で最下段に表わされる凸部１２６）は、上述した軸固定部１２５を兼ねることができる。この場合、凸部１２６は、少なくとも掛部１２２の屈折方向とは反対方向に突出する態様となる。
【０１４８】
インプラント体１０２について、他の例を挙げる。
２つのインプラント体１０２が対を成して使用される場合において、図２１に示されるように、２つの軸部１２１が交差するように配置され、該軸部１２１が交差する位置に枢支部１２７が設けられ、該枢支部で２つの軸部１２１が回動可能に枢支される構成を採用することができる。この場合、各インプラント体１０２の掛部１２２は、相互に内側に向かって屈折され、相対向するように配置される。
【０１４９】
かかる構成を採用することによって、２つのインプラント体１０２の各軸部１２１が回動可能に枢支されるので、石吊り具や氷はさみの要領で、軸部１２１に対して顎骨１０５から引き抜かれる方向（１）に力が加わると、掛部１２２が、内側に向かって顎骨１０５を掴む方向（２）に力を加えるので、軸部１２１を引き抜こうとすればするほど、インプラント体１０２が顎骨１０５から抜け難くなる。
【０１５０】
また、３つ以上のインプラント体１０２が対を成して使用される場合においても、そのうちの少なくとも２つのインプラント体１０２について、２つの軸部１２１が交差するように配置され、該軸部１２１が交差する位置に枢支部１２７が設けられ、該枢支部で２つの軸部１２１が回動可能に枢支される構成を採用することができる。この場合も、各インプラント体１０２の掛部１２２は、相互に内側に向かって屈折され、相対向するように配置される。
【０１５１】
参考発明では、少なくとも２つのインプラント体１０２を使用する。図１４等に表わされる例では、２つのインプラント体１０２を使用しているが、１本の歯当たり３つ以上のインプラント体１０２を使用することができ、特に奥歯など、顎骨１０５に十分な骨量があり、強度が必要な箇所には、４〜６つのインプラント体１０２を使用することができる。
【０１５２】
インプラント体１０２を構成する各部は、十分な強度と硬度を有する材料で、一体に成形されることが好ましい。用いられる材料に限定はなく、インプラント体の材料として公知・公用の材料を特別の制限なく採用することができるが、例えば、チタン又はこの合金等の金属の他、セラミックスやジルコニア等を挙げることができる。
【０１５３】
次に、アバットメント体１０３について説明する。
アバットメント体１０３は、複数のインプラント体１０２の軸部１２１を結合させると共に、義歯１０４が装着される台座となるものである。
図２２等に示されるように、アバットメント体１０３は、台座部１３１と爪部１３２とを有する。
【０１５４】
台座部１３１は、複数のインプラント体１０２の軸部１２１を結合させると共に、義歯１０４を装着する土台となる箇所である。
台座部１３１の形状は、図２２に示されるように、中空の角柱形状に形成することができる。この形状は、図１５に示されるインプラント体１０２の形状に対応したもので、中空部１３１ａには、複数のインプラント体１０２の軸部１２１が挿通される。中空部１３１ａの形状を、任意の数のインプラント体１０２の軸部１２１の形状と予め一致させてお
くことで、中空部１３１ａに挿通された複数の軸部１２１は、中空部１３１ａ内で密状態に収容され、束ねられるような態様で結合ないし固定される。また、中空部１３１ａを挿通される軸部１２１よりも大きめに形成しておき、軸部１２１と台座部１３１の間に生じた空隙Ｓ’を、歯科用セメント等で埋めることができる。即ち、例えば、図２９に示されるように、２つのインプラント体１０２の軸部１２１の間の空隙Ｓ’が歯科用セメント等で埋められることにより、２つの軸部１２１が傾斜したりすることを抑制できる。
尚、図２２における形状は上部が開放されているが、この上部が閉鎖された形状を採用することもできる（図示しない）。
【０１５５】
また、台座部１３１の形状は、図２３に示されるように、インプラント体１０２の数に応じた孔部１３１ｂが設けられた形状に形成することができる。この形状は、例えば、図１６に示されるインプラント体１０２の形状に対応したもので、それぞれの孔部１３１ｂに、インプラント体１０２のそれぞれの軸部１２１が挿通される。孔部１３１ｂの形状を、軸部１２１の形状と予め一致させておくことで、複数のインプラント体１０２は、それぞれの軸部１２１が孔部１３１ｂに挿通されることで結合ないし固定される。
【０１５６】
図２３は、２つのインプラント体１０２が挿通される例であるが、３つのインプラント体１０２が挿通される場合には、図２４に示されるような形状を、４つのインプラント体１０２が挿通される場合には、図２５に示されるような形状を採用することができる。
尚、図２３〜図２５に示されるアバットメント体１０３の態様であっても、孔部１３１ｂを挿通される軸部１２１よりも大きめに形成しておき、軸部１２１と台座部１３１の間に生じた空隙Ｓ’を、歯科用セメント等で埋めることができる。
【０１５７】
爪部１３２は、顎骨１０５に浅く埋入して固定されるための凸部ないし小突起である。爪部１３２は、顎骨１０５に軽く打ち込むことによって、又は予め穿設された小穴１５２に埋入することによって顎骨１０５に固定される。特に、横方向（軸部１２１の軸方向とは直交する方向）への強度を高めることができる。
【０１５８】
図２６に、アバットメント体１０３に設けられる爪部１３２と、インプラント体１０２の掛部１２２の位置関係について示す。図２６は、インプラント体１０２にアバットメント体１０３が取り付けられた状態を口腔側から顎骨１０５に向かって観察した図であり、掛部１２２と爪部１３２は実線で表わされ、他の部分は破線で表されている。
【０１５９】
２つのインプラント体１０２を用いた歯科インプラントシステム１０１の場合、各インプラント体１０２の掛部１２２を結んだ直線の方向に対しては、高い強度が発揮されるが、この方向とは異なる方向、特に直交する方向に対しての強度は低いといえる。この直交する方向に対する強度を補うため、アバットメント体１０３の爪部１３２は、図２６に示されるように、２つの掛部１２２を結ぶ直線と、２つの爪部１３２を結ぶ直線とが直行するように設けられることが好ましい。
インプラント体１０２が、３つ以上用いられる場合でも、掛部１２２だけでは横方向の強度が低い方向があり、この方向への強度を補う位置に爪部１３２が設けられることが好ましい。
【０１６０】
アバットメント体１０３には、側面に透孔１３３が設けれらることが好ましい。透孔１３３を設けることで、歯科用セメント等を用いてインプラント体１０２とアバットメント体１０３を結合・固定する場合に、インプラント体１０２とアバットメント体１０３の間に塗布されたセメントが、この透孔１３３にも流入することで、インプラント体１０２、アバットメント３体及び歯科用セメントがより強固に結合・固定され、更に、この透孔１３３からはみ出した歯科用セメントを簡単に除去することもできる。
【０１６１】
透孔１３３は、図２７に示されるように、台座部１３１の側面に設けられる。図２７においては、透孔１３３は１つのみ表わされているが、２つ以上の透孔１３３を設けてもよい。また、図２７では、透孔１３３は長方形状に表わされているが、この形状に限定はされず、円形や多角形などの形状を特別の制限なく採用することができる。
【０１６２】
アバットメント体１０３は、十分な強度と硬度を有する材料で、一体に成形されることが好ましい。用いられる材料に限定はなく、アバットメント体の材料として公知・公用の材料を特別の制限なく採用することができるが、例えば、チタン又はこの合金等の金属の他、セラミックスやジルコニア等を挙げることができる。
【０１６３】
参考発明において、インプラント体１０２単体では、義歯１０４を顎骨１０５に固定するのに必要な強度を得ることができないおそれがあるが、このインプラント体１０２を２つ以上結合させ、更にはアバットメント体１０３を結合させることによって、必要十分な強度を得ることができるのである。
【０１６４】
続いて、歯科インプラントシステム１０１を用いた治療手順について説明する。
ここでは、図１５に示されるインプラント体１０２を２つと、図２２に示されるアバットメント体１０３を１つ用いた場合の手順を説明する。
【０１６５】
先ず、抜歯した箇所の歯肉１０６を切開し、顎骨１０５の歯槽骨に２つの掛穴１５１を穿設する。２つの掛穴１５１は、図２８に示されるように、相対抗する方向に穿設されることが好ましく、歯列の外側から内側に向けて、又は歯列の内側から外側に向けて穿設されることが好ましい。歯列の内側から外側に向けての方向又はその反対方向から穿設することで、隣接する歯が邪魔にならず、作業が容易となるからである。
掛穴１５１は、インプラント体１０２における掛部１２２の屈折角度と略同一となる角度に穿設することが好ましい。尚、掛穴１５１を穿設する前に、顎骨１０５の歯槽骨の表面に球冠状等の窪みを設けておけば、掛穴１５１を任意の角度に穿設し易い。
また、必要に応じて、顎骨１０５の歯槽骨に、小穴１５２も穿設する。小穴１５２を穿設する位置は、先に説明したとおり、図２６に示される位置である。
【０１６６】
次に、一方の掛穴１５１に、インプラント体１０２の掛部１２２を引掛けて取り付ける。この際、掛部１２２と掛穴１５１の屈折角度に若干の相違が生ずる可能性があるが、インプラント体１０２に設けられた角度調整部１２３を折り曲げ等することによって、この屈折角度を調整し、掛部１２２と掛穴１５１の角度を一致させることができる。
【０１６７】
続いて、他方の掛穴１５１にも同様に、インプラント体１０２の掛部１２２を引掛けて取り付ける。
この際、図２８に示されるように、２つのインプラント体１０２は、それぞれの掛部１２２が掛穴１５１に奥まで挿通される過程において、それぞれの軸部１２１が接し、互いに寄せ合う態様となる。
２つのインプラント体１０２が接触せず、間に空隙Ｓ’が生じる場合（図２９参照。）には、この空隙Ｓ’を歯科用セメント等で埋めることができ、２つのインプラント体１０２が一体となって固定されることが好ましい。即ち、例えば、図２９に示されるように、２つのインプラント体１０２の軸部１２１の間の空隙Ｓ’が歯科用セメント等で埋められることにより、２つの軸部１２１が傾斜したりすることを抑制できる。
尚、掛部１２２と掛穴１５１の大きさが合致しない場合には、治療現場において歯科用ドリル等を使用して、掛部１２２を短く又は細く加工してもよい。
【０１６８】
次に、アバットメント体１０３を、２つの軸部１２１に軸方向から被せ、束ねるように結合する。アバットメント体１０３は、インプラント体１０２に設けられた角度調整部１
２３に接触し、これ以上奥には移動しない。
この状態において、２つのインプラント体１０２は、それぞれの軸部１２１が、アバットメント３の中空部１３１ａに密状態で収容されるので、顎骨１０５に固定される。
インプラント体１０２とアバットメント体１０３の間に、空隙Ｓ’が生じる場合（図２９参照。）には、この空隙Ｓ’を歯科用セメント等で埋めることができ、インプラント体１０２とアバットメント体１０３とが一体となって固定されることが好ましい。
また、アバットメント体１０３に設けられた爪部１３２を、予め顎骨１０５に穿設された小穴１５２に埋入する。
【０１６９】
最後に、インプラント体１０２とアバットメント体１０３との結合体に、義歯１０４を被せる。この際、インプラント体１０２又はアバットメント体１０３を、義歯１０４に合わせて歯科用ドリル等で加工し、両者が嵌合するように形状を整えることができ、更には歯科用接着剤や歯科用セメント等を用いて、両者を接着固定してもよい。
【０１７０】
上記手順で顎骨１０５に取り付けられた歯科インプラントシステム１０１を、図２９に示す。インプラント体１０２、アバットメント体１０３及び義歯１０４は一体に結合され、顎骨１０５に固定され、掛部１２２により軸方向に抜けず、掛部１２２及び爪部１３２により横方向にも高い強度を有する。
【０１７１】
上記治療手順では、図１５に示されるインプラント体１０２を２つと、図２２に示されるアバットメント体１０３を１つ用いた場合の手順を説明し、その治療が完成した状態の概略図を図２１に示したが、図１６に示されるインプラント体１０２を２つと、図２３に示されるアバットメント体１０３を１つ用いた治療が完成した状態の概略図を、図３０に示す。図３０に示す例でも、図２９に示す場合と同様の効果を得ることができる。
尚、図２９及び２５について、アバットメント体１０３は、部分断面図にて表わされ、アバットメント３に挿通されたインプラント体１０２の態様が表わされている。
【０１７２】
参考発明に係る歯科インプラントシステム１０１によれば、インプラント体１０２に設けられた掛部１２２を、顎骨１０５に穿設された掛穴１５１に引掛けることによって、インプラント体１０２を顎骨１０５に取り付けることができるので、従来のインプラント治療のように、インプラント体１０２と顎骨１０５とが結合する期間が不要であり、治療期間及び治療回数を短縮することができる。治療を急ぐ場合には、抜歯と同日にでも、顎骨１０５への掛穴１５１の穿設から、インプラント体１０２及びアバットメント体１０３の取り付けが可能である。患者に合った義歯１０４の製作が、同日中に可能であるならば、抜歯と同日に、治療を終えることができる。義歯１０４の完成が後日になる場合であっても、抜歯からインプラント体１０２等の取り付けと、義歯１０４の取り付けの２回の治療で終えることができる。
【０１７３】
更に、掛部１２２は、顎骨１０５に対して浅くかつ斜めに取り付けられるので、取り付け箇所の骨の厚さや骨量が最小限で足り、特に上顎など、従来のインプラント治療では、補助手術をしなければならなかった患者に対しても施術可能であり、この分の治療回数・時間を短縮することもできる。
【０１７４】
参考発明に係る歯科インプラントシステム１０１を使用すれば、顎骨１０５の骨量等を問わず、多くの患者の治療期間及び治療回数を短縮することができると共に、顎骨１０５への影響を最小限に止めることで、患者の精神的及び身体的負担を軽減することができる歯科インプラント治療を提供することができる。
【符号の説明】
【０１７５】
１  歯科インプラントシステム
２  インプラント体
２１  軸部
２１ａ  孔部
２２  掛部
２２ａ  上部
２２ｂ  下部
２２ｃ  先端部
２２ｄ  段部
２３  分割円柱軸部
２３ａ  孔部
２４  接合円柱軸部
２５  雄ネジ部
３  アバットメント体
３１  軸挿通孔部
３２  側面孔部
３３  側面溝部
３４  係止穴部
３５  雌ネジ部
４  固定部材
５  義歯
６  顎骨
６１  掛穴
６２  掛穴段部
７  歯肉
Ｓ  空隙
Ｔ  天然歯
【図１】
2015097781.tif 000003
【図２】
2015097781.tif 000004
【図３】
2015097781.tif 000005
【図４】
2015097781.tif 000006
【図５】
2015097781.tif 000007
【図６】
2015097781.tif 000008
【図７】
2015097781.tif 000009
【図８】
2015097781.tif 000010
【図９】
2015097781.tif 000011
【図１０】
2015097781.tif 000012
【図１１】
2015097781.tif 000013
【図１２】
2015097781.tif 000014
【図１３】
2015097781.tif 000015
【図１４】
2015097781.tif 000016
【図１５】
2015097781.tif 000017
【図１６】
2015097781.tif 000018
【図１７】
2015097781.tif 000019
【図１８】
2015097781.tif 000020
【図１９】
2015097781.tif 000021
【図２０】
2015097781.tif 000022
【図２１】
2015097781.tif 000023
【図２２】
2015097781.tif 000024
【図２３】
2015097781.tif 000025
【図２４】
2015097781.tif 000026
【図２５】
2015097781.tif 000027
【図２６】
2015097781.tif 000028
【図２７】
2015097781.tif 000029
【図２８】
2015097781.tif 000030
【図２９】
2015097781.tif 000031
【図３０】
2015097781.tif 000032